【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
無線通信が可能であり放送信号を受信する放送信号受信装置であって、
第１の周波数帯を使用して前記無線通信を行う無線送受信部と、
前記第１の周波数帯と少なくとも一部が被る第２の周波数帯を使用して送られた放送信号を受信するチューナと、
前記第２の周波数帯を使用して送られた前記放送信号を前記チューナで受信したときの、前記放送信号の品質を測定する測定部と、
前記無線送受信部の出力を変えることで、前記測定部が測定する前記放送信号の品質の変化を用いて、前記無線送受信部の出力が前記放送信号に干渉しているか否かを検出する検出部と、
前記無線送受信部の出力が、前記放送信号に干渉していると判断した場合に、前記無線送受信部の送信出力を下げる方向に調整する調整部とを備える、
放送信号受信装置。
【請求項２】
前記検出部は、前記無線送受信部の送信出力を最大および最小にしたときに、前記測定部が測定する前記放送信号の品質の変化を用いて、前記無線送受信部の出力が、前記放送信号に干渉しているか否かを判断する、
請求項１に記載の放送信号受信装置。
【請求項３】
前記調整部は、前記無線送受信部が送信出力を任意の値下げながら必要に応じて送信出力を任意の値上げることで変化する、前記測定部が測定する前記放送信号の品質の変化を用いて、前記無線送受信部の送信出力の最適値を決定する、
請求項１に記載の放送信号受信装置。
【請求項４】
前記調整部は、送信出力をさらに下げることを可能とするため、前記無線通信の変調パラメータを変更することが可能な、
請求項１に記載の放送信号受信装置。
【請求項５】
無線通信が可能であり放送信号を受信する放送信号受信装置であって、
前記無線通信が使用する第１の周波数帯と少なくとも一部が被る第２の周波数帯を使用して送られた前記放送信号を受信したときに、前記無線通信の出力を変えながら受信した前記放送信号の品質を測定することで、前記無線通信の出力が前記放送信号に干渉しているか否かを判定し、
前記無線通信の出力が前記放送信号に干渉していると判断した場合に、前記無線通信の出力を下げる方向に調整する、
放送信号受信方法。
【手続補正２】
【補正対象書類名】明細書
【補正対象項目名】０００６
【補正方法】変更
【補正の内容】
【０００６】
本実施形態の放送信号受信装置は、無線通信が可能であり放送信号を受信する放送信号受信装置であって、第１の周波数帯を使用して前記無線通信を行う無線送受信部と、前記第１の周波数帯と少なくとも一部が被る第２の周波数帯を使用して送られた放送信号を受信するチューナと、前記第２の周波数帯を使用した前記放送信号を前記チューナで受信したときの、前記放送信号の品質を測定する測定部と、前記無線送受信部の出力を変えることで、前記測定部が測定する前記放送信号の品質の変化を用いて、前記無線送受信部の出力が前記放送信号に干渉しているか否かを検出する検出部と、前記無線送受信部の出力が、前記放送信号に干渉していると判断した場合に、前記無線送受信部の送信出力を下げる方向に調整する調整部とを備える、放送信号受信装置である。
【手続補正３】
【補正対象書類名】明細書
【補正対象項目名】００１３
【補正方法】変更
【補正の内容】
【００１３】
ＣＳデジタル放送チューナ１０２−２は、広帯域ＣＳデジタル放送を受信すると、この受信した放送信号の中から選局したチャンネルのストリームを抽出し、２Ｋデコーダ１３１又は４Ｋデコーダ１３２又は８Ｋデコーダ１３３に入力する。なお放送信号受信装置１００は、ＣＳデジタル放送チューナ１０２−２を有してなくてもよい。
【手続補正４】
【補正対象書類名】明細書
【補正対象項目名】００１４
【補正方法】変更
【補正の内容】
【００１４】
測定部１１０は、ＢＳデジタル放送チューナ１０２−１、ＣＳデジタル放送チューナ１０２−２が受信する放送信号の品質を測定する。放送信号の品質の測定方法および手段については後述する。
【手続補正５】
【補正対象書類名】明細書
【補正対象項目名】００１７
【補正方法】変更
【補正の内容】
【００１７】
制御部１５０は、放送信号受信装置１００が高度ＢＳデジタル放送を受信している場合、無線ＬＡＮの信号が高度ＢＳデジタル放送の信号に干渉しているか否かの判定を行う。制御部１５０は、この判定結果に応じて、無線ＬＡＮの信号が高度ＢＳデジタル放送の信号に干渉していることを回避するために、無線送受信部１８１を制御することで無線ＬＡＮの出力調整を行う。
【手続補正６】
【補正対象書類名】明細書
【補正対象項目名】００４１
【補正方法】変更
【補正の内容】
【００４１】
制御部１５０から通知を受けた検出部１５１は、高度ＢＳデジタル放送信号に無線ＬＡＮの信号が干渉しているかの検出処理を開始する（Ｓ３００）。
【手続補正７】
【補正対象書類名】明細書
【補正対象項目名】００５２
【補正方法】変更
【補正の内容】
【００５２】
Ｓ３０８の判定の結果、放送波の受信環境が良好である場合（Ｓ３０８のＹｅｓ）、検出部１５１は、無線ＬＡＮの信号が高度ＢＳデジタル放送信号に干渉していると判断し、内部に持つステータスを、高度ＢＳデジタル放送信号は無線ＬＡＮの信号による干渉ありに設定（Ｓ３１０）し処理を終了する（Ｓ３０５）。
【手続補正８】
【補正対象書類名】明細書
【補正対象項目名】００５３
【補正方法】変更
【補正の内容】
【００５３】
Ｓ３０８の判定の結果、放送波の受信環境が良好でない場合（Ｓ３０８のＮｏ）、検出部１５１は、無線ＬＡＮの信号が高度ＢＳデジタル放送信号に干渉していないと判断し、内部に持つステータスを、高度ＢＳデジタル放送信号は無線ＬＡＮの信号による干渉なしに設定（Ｓ３０４）し処理を終了する（Ｓ３０５）。
【手続補正９】
【補正対象書類名】明細書
【補正対象項目名】００５４
【補正方法】変更
【補正の内容】
【００５４】
なお、制御部１５０がＳ３００の処理の開始を検出部１５１に指示する条件として、ＢＳデジタル放送チューナ１０２−１が高度ＢＳデジタル放送信号の１０チャンネル、１２チャンネル、１４チャンネルのいずれかのチャンネルを受信している場合であるとしたが、これに限らない。例えば制御部１５０は、チャンネルを限定せずに、ＢＳデジタル放送チューナ１０２−１が高度ＢＳデジタル放送信号のいずれかのチャンネルを受信している場合に、検出部１５１に指示してもよい。あるいは制御部１５０は、ＢＳデジタル放送チューナ１０２−１が高度ＢＳデジタル放送信号の特定のチャンネル、例えば１２チャンネルを受信していることを確認した場合だけ、検出部１５１に指示してもよい。あるいは例えば制御部１５０は、放送信号受信装置１００が初期設定後に、高度ＢＳデジタル放送信号の１０チャンネル、１２チャンネル、１４チャンネルのいずれかのチャンネルを初めて受信した場合に、検出部１５１に指示してもよい。
【手続補正１０】
【補正対象書類名】明細書
【補正対象項目名】００８０
【補正方法】変更
【補正の内容】
【００８０】
さらに本実施形態の放送信号受信装置１００は、１つ目の工程である高度ＢＳデジタル放送信号に無線ＬＡＮの信号が干渉しているか否かを検出する検出処理およびまたは２つ目の工程である無線ＬＡＮの送信出力の調整処理を、他の情報をもとに動作させてもよい。放送信号受信装置１００は、例えば録画予約リストに登録されている、録画予約情報をもとに、検出処理およびまたは調整処理を起動してもよい。